(57)【要約】【課題】ユーザが指定した複数の情報を１つずつに一覧性を保ったまま順次表示する。【解決手段】本発明は、利用者が定期的に取得したい情報源に関する情報及び表示のための条件を取得して情報リストとして情報リスト記憶手段に登録し、情報リスト記憶手段の情報に示される情報取得タイミングに基づいて、情報源から情報を取得し、情報リスト記憶手段の表示のためのフィルタリング条件に基づいて、取得した情報についてフィルタリングし、表示装置のウィンドウサイズに合わせて整形を行って表示する。【選択図】図１
2009129374.tif 000002
【特許請求の範囲】
【請求項１】
ネットワーク上の情報源の情報を利用者が指定して表示するための情報表示装置であって、
利用者が定期的に取得したい情報源に関する情報及び表示のための条件を取得して情報リストとして情報リスト記憶手段に登録する情報リスト登録手段と、
前記情報リスト記憶手段の情報に基づいて、前記情報源から情報を取得する情報取得手段と、
前記情報リスト記憶手段の前記表示のための条件に基づいて、取得した前記情報を表示装置のウィンドウサイズに合わせて整形し表示する表示制御手段と、
を有することを特徴とする情報表示装置。
【請求項２】
前記情報リスト登録手段は、
利用者が定期的に得たい情報の情報源のＵＲＬ、取得した情報に対してフィルタリングを行うためのフィルタリング情報、情報取得のタイミング、情報が変更されてから表示する表示期間を前記情報リストとして前記情報リスト記憶手段に格納する手段を含み、
前記表示制御手段は、
前記情報リスト記憶手段から前記情報リストを読み込んで、前記情報取得のタイミングに応じて前記情報源のＵＲＬから情報を取得し、前記フィルタリング情報に基づいて取得した該情報をフィルタリングし、前記表示期間に応じて該情報を表示する手段を含む
請求項１記載の情報表示装置。
【請求項３】
請求項１または２のいずれか１項に記載の情報表示装置の各手段としてコンピュータを機能させる情報表示プログラム。
【発明の詳細な説明】
【技術分野】
【０００１】
本発明は、情報表示装置及びプログラムに係り、特に、ネットワーク上の情報を選択して常時表示するための情報表示装置及びプログラムに関する。
【背景技術】
【０００２】
従来、ネットワーク上の情報を利用者が選択して常時表示する方法として、以下の２つの方法が提案されている。
【０００３】
（１）１つ目の方法は、ＷＷＷ文書を表示するシステムの閲覧者端末において、ＷＷＷが存在するＵＲＬ、このＷＷＷ文書における必要情報の存在箇所、この必要情報を表示する閲覧者端末のウィンドウ上の領域を表示領域とし、閲覧者が指定した複数の表示情報に基づいて、閲覧者端末がバッファフレームに収納したＷＷＷ文書の中から必要情報を抽出し、閲覧者端末の表示フレーム上の指定領域にそれぞれ表示することにより、利用可能なＷＷＷ文書やその抽出部分、生成されるページのレイアウト等を閲覧者側で自由に設定し、個々の閲覧者に特化されたページを提供するものがある（例えば、特許文献１参照）。
【０００４】
（２）二つ目の方法は、ＲＳＳ(RDF(Resource Description Framework) Site Summary)リーダで利用者が指定したＲＳＳ情報を電光掲示板形式で文字表示（例：Dirty News Reader）する技術がある。
【特許文献１】特開２００４−１３９２７５号公報
【発明の開示】
【発明が解決しようとする課題】
【０００５】
しかしながら、上記の従来の技術には以下のような問題がある。
【０００６】
上記の１つ目の方法では、必要情報と表示領域が１対１で対応しているため、１つの表示領域に１つの必要情報のみが表示され、複数の必要情報を指定した場合、画面を占有する面積が大きくなる問題やＷＷＷブラウザを他の目的で利用する場合、利用者が選択した情報が隠れる問題がある。
【０００７】
また、二つ目の方法では、扱える情報がＲＳＳで発信された文字情報に限られることと、一覧性がないという問題がある。
【０００８】
本発明は、上記の点に鑑みなされたもので、ユーザが指定した複数の情報を１つずつに一覧性を保ったまま順次表示することが可能な情報表示装置及びプログラムを提供することを目的とする。
【課題を解決するための手段】
【０００９】
図１は、本発明の原理構成図である。
【００１０】
本発明（請求項１）は、ネットワーク上の情報源２００の情報を利用者が指定して表示するための情報表示装置であって、
利用者が定期的に取得したい情報源２００に関する情報及び表示のための条件を取得して情報リストとして情報リスト記憶手段１２０に登録する情報リスト登録手段１１０と、
情報リスト記憶手段１２０の情報に基づいて、情報源から情報を取得する情報取得手段１３０と、
情報リスト記憶手段１２０の表示のための条件に基づいて、取得した情報を表示装置４００のウィンドウサイズに合わせて整形し表示する表示制御手段１７０と、を有する。
【００１１】
また、本発明（請求項２）は、情報リスト登録手段１１０において、
利用者が定期的に得たい情報の情報源のＵＲＬ、取得した情報に対してフィルタリングを行うためのフィルタリング情報、情報取得のタイミング、情報が変更されてから表示する表示期間を情報リストとして情報リスト記憶手段１２０に格納する手段を含み、
表示制御手段１７０において、
情報リスト記憶手段１２０から情報リストを読み込んで、情報取得のタイミングに応じて情報源のＵＲＬから情報を取得し、フィルタリング情報に基づいて取得した該情報をフィルタリングし、表示期間に応じて該情報を表示する手段を含む。
【００１２】
本発明（請求項３）は、請求項１または２のいずれか１項に記載の情報表示装置の各手段としてコンピュータを機能させる情報表示プログラムである。
【発明の効果】
【００１３】
上記のように本発明によれば、ユーザから指定された取得したい情報を、所望の取得時期に合わせて、複数の情報を１つずつ一覧性を保ったまま順次表示することができる。
【発明を実施するための最良の形態】
【００１４】
以下、図面と共に本発明の実施の形態を説明する。
【００１５】
図２は、本発明の一実施の形態における情報表示装置の構成を示す。
【００１６】
同図に示す情報表示装置１００は、情報リスト登録部１１０、情報リスト記憶部１２０、情報取得部１３０、フィルタリング部１４０、フォーマット変換部１５０、表示制御部１６０、ウィンドウ作成部１８０から構成される。情報表示装置１００の情報リスト登録部１１０は、ユーザが利用する入力装置３００と接続され、情報取得部１３０は情報源２００と接続され、表示制御部１６０はユーザが使用する表示装置４００と接続される。
【００１７】
情報リスト登録部１１０は、入力装置３００から利用者が入力した定期的に得たい情報（Ｗｅｂページ、ＲＳＳ、検索結果、情報源のＵＲＬ等）を取得して情報リストとして情報リスト記憶部１２０に登録する。
【００１８】
情報リスト記憶部１２０は、図３に示すように、情報源のＵＲＬ、フィルタリング情報、情報取得のタイミング、情報が変更された時点からの表示期間等のデータを格納する。
【００１９】
情報取得部１３０は、情報リスト記憶部１２０の情報リストを読み出して、情報リストの情報源のＵＲＬに基づいて、ネットワーク上の情報源２００から情報を取得する。
【００２０】
フィルタリング部１４０は、情報リスト記憶部１２０のフィルタリング情報のルールに基づいて、情報取得部１３０で取得した情報をフィルタリングする。
【００２１】
フォーマット変換部１５０は、ウィンドウ作成部１８０で作成されたウィンドウサイズに合わせて、フィルタリングされた情報をＷｅｂページ、ＲＳＳ、検索結果等の種類毎に表示部分を指定したＣＣＳ(Cascading Style Sheet)に基づいて整形する。
【００２２】
表示制御部１６０は、整形された情報を表示装置４００に表示する。このとき、表示情報にハイパーリンクを付与して、より詳細な情報取得へ誘導することも可能である。
【００２３】
ウィンドウ作成部１８０は、デフォルトまたは、ユーザの入力装置３００から入力されたサイズ（縦横のピクセル数）のウィンドウを作成する。
【００２４】
次に、上記の構成における動作を説明する。
【００２５】
図４は、本発明の一実施の形態における情報表示装置の動作のフローチャートである。
【００２６】
以下では、予め、情報リストとして、利用者が定期的に得たい情報（Ｗｅｂページ、ＲＳＳ、検索結果などの応報）の情報源のＵＲＬ、表示情報を限定するためのフィルタリング情報、情報取得のタイミング、情報変更からの表示期間を情報リスト登録部１１０を介して情報リスト記憶部１２０に登録しておく。以下では、図３に示す情報リストを用いるものとする。同図において、Ｎｏ１はホームページ「http://www.weather.jp/」の情報を１日に１回取得し、その２０行目から３０行目の情報の変更があってから１時間表示することを示す。Ｎｏ．２は、ＲＳＳ情報「http://www.info.jp/info.rdf」を１時間に１回取得し、毎回表示することを示す。
【００２７】
ステップ１０１）  まず、ウィンドウ作成部１８０において、利用者端末の表示装置４００の画面上に情報を表示するためのウィンドウを入力装置３００から指定されたサイズまたは、デフォルト値に基づいて生成する。
【００２８】
ステップ１０２）  情報取得部１３０は、情報リスト記憶部１２０から情報源リストを読み出して、情報源リストの１番目から、情報取得のタイミング情報に基づいて、当該時点が情報取得のタイミングであるかを判定し、そのタイミングであれば、ステップ１０３に移行し、そうでなければステップ１０２に戻る。
【００２９】
ステップ１０３）  情報取得のタイミングであれば、情報取得部１３０は、情報源リストの情報源ＵＲＬに基づいてネットワーク上の情報源２００から情報を取得する。
【００３０】
ステップ１０４）  情報取得部１３０は、取得した情報が以前の情報から変更されているかを確認し、情報リスト記憶部１２０の情報リストの「情報変更からの表示期間」を参照して、該当すればステップ１０５に移行し、該当しなければステップ１０２に移行する。ここで、取得した情報が変更されているか否かを判定するために、ステップ１０３において情報源２００から取得した情報をメモリ等の記憶手段に格納しておき、今回取得した情報と前回取得した情報の差異を調べることで実現できる。情報の差異を調べる際には、テキスト情報であれば特徴語を抽出して比較する、情報に含まれる日付を比較する等の方法が考えられる。また、画像の場合には特徴量を求めて比較する等の既存の技術を用いて判断することが可能である。
【００３１】
ステップ１０５）  フィルタリング部１４０は、情報リスト記憶部１２０の情報リストのフィルタリング情報を参照して、そのルールに基づいてフィルタリングする。例えば、図３のＮｏ．１の場合には、フィルタリング情報として、「２０行目から３０行目を、情報変更後１時間表示する」ことが記載されているので、ここでは、フィルタリング部１４０は、取得した情報の２０行目から３０行目を抽出する。フォーマット変換部１５０は、取得した情報をウィドウ作成部１８０で設定された表示装置４００のウィンドウサイズに整形する。ここでは、２０行目から３０行目を抽出し、表示装置４００のウィンドウサイズに表示可能な形式に変換する。
【００３２】
ステップ１０６）  表示制御部１６０は、フォーマット変換された情報を表示装置４００に表示する。
【００３３】
ステップ１０７）  情報源２００について全て処理したかを判定し、処理した場合には、処理を終了し、まだ全て処理していない場合はステップ１０２に移行する。
【００３４】
上記のフィルタリング・フォーマット変換について説明する。
【００３５】
図５は、本発明の一実施の形態における整形と表示例を示す。
【００３６】
同図（ａ）は情報リストのＮｏ．１の例を示している。同図の例では、フィルタリング情報（「２０行目から３０行目を、情報変更後１時間表示する」）に基づいてフィルタリングされた例を示している。情報源２００の"http://www.weather.co.jp/Yokohama.jpg"から取得した天気予報の情報がフィルタリングされた情報として取得されると、天気予報の情報が１時間表示される。
【００３７】
同図（ｂ）は、情報リストのＮｏ．２の例を示している。情報源２００の"http://www.info.co.jp/info.rdf"から１時間に１回のタイミングで情報を取得し、あるタイミングで"<p>○○事件がありました</p>"が取得されると、同図（ｂ）に示すように、所定のスタイルシートに基づいて整形されて常時表示される。このように、図３に示すような情報リストに基づいて、図５に示す矢印のように順次表示が切り替わる。
【００３８】
上記のような表示方法とすることにより、利用者が選択した情報が隠れてしまうことなく、また、所望の情報を一覧表示することが可能となる。
【００３９】
なお、上記の図２に示す情報表示装置の各構成の動作をプログラムとして構築し、情報表示装置として利用されるコンピュータにインストールして実行させる、または、ネットワークを流通させることが可能である。
【００４０】
また、構築されたプログラムをハードディスクや、フレキシブルディスク、ＣＤ−ＲＯＭ等の可搬記憶媒体に格納し、コンピュータにインストールする、または、配布することが可能である。
【００４１】
なお、本発明は、上記の実施の形態に限定されることなく、特許請求の範囲内において種々変更・応用が可能である。
【産業上の利用可能性】
【００４２】
本発明は、検索された情報を表示する技術に適用可能である。
【図面の簡単な説明】
【００４３】
【図１】本発明の原理構成図である。
【図２】本発明の一実施の形態における情報表示装置の構成図である。
【図３】本発明の一実施の形態における情報リスト記憶部の例である。
【図４】本発明の一実施の形態における情報表示装置の動作のフローチャートである。
【図５】本発明の一実施の形態における整形と表示例である。
【符号の説明】
【００４４】
１００  情報表示装置
１１０  情報リスト登録手段、情報リスト登録部
１２０  情報リスト記憶手段、情報リスト記憶部
１３０  情報取得手段、情報取得部
１４０  フィルタリング部
１５０  フォーマット変換部
１６０  表示制御部
１７０  表示制御手段
１８０  ウィンドウ作成部
２００  情報源
３００  入力装置
４００  表示装置
【図１】
2009129374.tif 000003
【図２】
2009129374.tif 000004
【図３】
2009129374.tif 000005
【図４】
2009129374.tif 000006
【図５】
2009129374.tif 000007